(57)【要約】【課題】番組構成表の作成作業を行う前にビデオサーバーへの映像素材の入力作業を行うワークフローにおいて、番組制作支援装置内で取材項目が作成された（あるいは外部から取材項目を読み込んだ）時点でビデオサーバーへの入力準備を完了でき、且つ、ビデオサーバーに入力させた様々な映像素材がそれぞれどの取材による映像素材であるのかを識別できるようにする。【解決手段】取材予定の個々の案件を識別するために作成された取材項目を、番組を構成する項目の名称として用いて、ダミーの番組構成表を作成するダミー番組構成表作成手段５と、映像素材を蓄積するためのビデオサーバー８を制御する制御手段９に対して、このダミーの番組構成表中の取材項目を用いたプレイリストの作成を要求するプレイリスト作成要求手段５とを備える。【選択図】図３
2008059096.tif 000002
【特許請求の範囲】
【請求項１】
取材予定の個々の案件を識別するために作成された取材項目を、番組を構成する項目の名称として用いて、ダミーの番組構成表を作成するダミー番組構成表作成手段と、
映像素材を蓄積するためのビデオサーバーを制御する制御手段に対して、前記ビデオサーバー内における映像素材の入力場所を示す情報を含むプレイリストとして、前記ダミー番組構成表作成手段によって作成されたダミーの番組構成表中の前記項目の名称を用いたプレイリストの作成を要求するプレイリスト作成要求手段と
を備えたことを特徴とする番組制作支援装置。
【請求項２】
請求項１に記載の番組制作支援装置において、
作成された前記取材項目を含んだ取材情報を一覧表示して取材情報を選択する操作を行わせるための画面を表示させるユーザーインタフェース手段
をさらに備え、
前記ダミー番組構成表作成手段は、前記画面で選択された取材情報中の前記取材項目を、番組を構成する項目の名称として用いる
ことを特徴とする番組制作支援装置。
【請求項３】
請求項２に記載の番組制作支援装置において、
前記画面は、前記取材情報を取材予定日毎に表示して１日単位で選択する操作を行わせる画面であり、
前記ダミー番組構成表作成手段は、前記画面で選択された日付の取材情報中の前記取材項目全を、番組を構成する項目の名称として用いる
ことを特徴とする番組制作支援装置。
【請求項４】
請求項１に記載の番組制作支援装置において、
前記ダミー番組構成表作成手段は、番組を構成する個々の項目に含まれる映像素材の名称として前記取材項目を用い、
前記プレイリスト作成要求手段は、前記映像素材の名称を、前記ビデオサーバー内における映像素材の入力場所の名称として用いたプレイリストの作成を要求する
ことを特徴とする番組制作支援装置。
【請求項５】
請求項１に記載の番組制作支援装置において、
前記ダミー番組構成表作成手段は、番組を構成する個々の前記項目毎に、前記映像蓄積手段内の映像素材と、カメラからの映像素材とを映像素材として含める
ことを特徴とする番組制作支援装置。
【請求項６】
番組制作支援装置が実行する番組の制作方法において、
前記番組制作支援装置内に設けられた制御手段が、取材予定の個々の案件を識別するために作成された取材項目を、番組を構成する項目の名称として用いて、ダミーの番組構成表を作成する第１のステップと、
前記番組制作支援装置内に設けられた制御手段が、映像素材を蓄積するためのビデオサーバーを制御する制御手段に対して、前記ビデオサーバー内における映像素材の入力場所を示す情報を含むプレイリストとして、前記第１のステップで作成されたダミーの番組構成表中の前記項目の名称を用いたプレイリストの作成を要求する第２のステップと
を有することを特徴とする番組制作方法。
【請求項７】
請求項６に記載の番組制作方法において、
前記番組制作支援装置内に設けられた制御手段が、作成された前記取材項目を含んだ取材情報を一覧表示して取材情報を選択する操作を行わせるための画面を表示させるステップ
をさらに有し、
前記第２のステップでは、前記画面で選択された取材情報中の前記取材項目を、番組を構成する項目の名称として用いる
ことを特徴とする番組制作方法。
【発明の詳細な説明】
【技術分野】
【０００１】
本発明は、テレビジョン放送局向けの番組制作支援装置及び番組制作方法に関し、特に、ビデオサーバーへの素材の入力準備の仕方に特徴を有するものに関する。
【背景技術】
【０００２】
テレビジョン放送局では、ニュース番組を制作するために、次の（ａ）〜（ｄ）のような様々な作業が行われている。
（ａ）取材の実行に先行して、取材予定表を作成する。
（ｂ）取材予定表に基づいて取材を実行する。
（ｃ）放送予定のニュース番組の番組構成表を作成する。
（ｄ）取材によって得た映像素材（ＶＴＲに録画したり、その後編集した映像素材）を、映像素材蓄積用のビデオサーバーに入力する。
【０００３】
このうち、（ａ）の取材予定表の作成作業では、図１に例示するように、取材予定のある個々の案件を識別するための「取材項目」（例えば、“こどもの日好例消防と子どもの集い” ，“春スキー”といったような名称のもの）を作成するとともに、各取材項目についての取材場所や取材日時や取材スタッフや使用機材等を決定する。
【０００４】
また、（ｃ）の番組構成表の作成作業では、図２に例示するように、１つのニュース番組を、ニュースの内容毎の複数の「項目」で構成して個々の項目の放送時刻や名称（項目名）を決定する作業や、個々の項目を複数の映像素材（カメラからのアナウンサーの映像や、取材によって得られた映像）で構成して各映像素材の時間の長さを決定する作業等が行われる。
【０００５】
テレビジョン放送局には、従来から、こうした作業によるニュース番組の制作を支援するための装置が設置されている。また文献上も、従来からそうした番組制作支援装置が提案されている（例えば、特許文献１参照）。
【０００６】
従来のこの番組制作支援装置は、上記（ａ）〜（ｄ）の作業を（ａ）→（ｂ）→（ｃ）→（ｄ）または（ａ）→（ｃ）→（ｂ）→（ｄ）の順に行うワークフローを前提にして、（ｃ）の番組構成表の作成作業によって作成した番組構成表の情報を用いて、ビデオサーバーへの入力準備（ビデオサーバー側へのプレイリストの作成要求）を行うものであった。
【０００７】
プレイリストは、ビデオサーバー内における素材の入力場所を示す情報を含んでおり、ビデオサーバー側でこうしたプレイリストが作成されることにより、（ｄ）の作業による映像素材の入力場所がビデオサーバー内に確保される。こうしたワークフローによれば、番組構成表中の項目名（図２）を取材予定表の取材項目と一致させることができるとともに、ビデオサーバーに入力させた様々な映像素材がそれぞれどの取材による映像素材であるのかをこの取材項目によって識別することができる。
【０００８】
なお、上記特許文献１の段落０６５４〜０６６２には、番組構成表に載っていない（すなわち放送未定の）映像素材をビデオサーバーにプール素材として入力する作業を行わせる処理が記載されているが、その処理では、番組の項目名が空欄にされ、オペレータにキーボード等でプール素材の素材名を入力させるようになっている。
【０００９】
【特許文献１】特開平１０−２７５１８１号公報
【発明の開示】
【発明が解決しようとする課題】
【００１０】
ところで、実際のテレビジョン放送局でのワークフローとしては、上記（ａ）〜（ｄ）の作業を（ａ）→（ｂ）→（ｄ）→（ｃ）の順に行う（番組構成表の作成作業を行う前にビデオサーバーへの映像素材の入力作業を行う）ワークフローも存在し得る。こうしたワークフローにおいて従来の番組制作支援装置を使用した場合、ビデオサーバーへの映像素材の入力作業を行おうとしても、まだ番組構成表が作成されていないので、ビデオサーバーへの入力準備（プレイリストの作成要求）が行われておらず、ビデオサーバーに映像素材を入力することができない。
【００１１】
また、こうしたワークフローにおいても、上記特許文献１に記載のようなプール素材としてビデオサーバーに映像素材を入力させることは可能である。しかし、番組の項目名やプール素材の素材名が取材項目と一致しないので、ビデオサーバーに入力させた様々な映像素材がそれぞれどの取材による映像素材であるのかを識別することが困難になってしまう。
【００１２】
本発明は、上述の点に鑑み、番組構成表の作成作業を行う前にビデオサーバーへの映像素材の入力作業を行うワークフローにおいて、番組制作支援装置内で取材項目が作成された（あるいは外部から取材項目を読み込んだ）時点でビデオサーバーへの入力準備を完了でき、且つ、ビデオサーバーに入力させた様々な映像素材がそれぞれどの取材による映像素材であるのかを識別できるようにすることを課題とする。
【課題を解決するための手段】
【００１３】
上記課題を解決するため、本発明に係る番組制作支援装置は、取材予定の個々の案件を識別するために作成された取材項目を、番組を構成する項目の名称として用いて、ダミーの番組構成表を作成するダミー番組構成表作成手段と、映像素材を蓄積するためのビデオサーバーを制御する制御手段に対して、このビデオサーバー内における映像素材の入力場所を示す情報を含むプレイリストとして、このダミー番組構成表作成手段によって作成されたダミーの番組構成表中の項目の名称を用いたプレイリストの作成を要求するプレイリスト作成要求手段とを備えたことを特徴とする。
【００１４】
また、本発明に係る番組制作方法は、番組制作支援装置が実行する番組の制作方法において、この番組制作支援装置内に設けられた制御手段が、取材予定の個々の案件を識別するために作成された取材項目を、番組を構成する項目の名称として用いて、ダミーの番組構成表を作成する第１のステップと、この番組制作支援装置内に設けられた制御手段が、映像素材を蓄積するためのビデオサーバーを制御する制御手段に対して、このビデオサーバー内における映像素材の入力場所を示す情報を含むプレイリストとして、第１のステップで作成されたダミーの番組構成表中の項目の名称を用いたプレイリストの作成を要求する第２のステップとを有することを特徴とする。
【００１５】
上記発明によれば、番組制作支援装置内で作成された（あるいは外部で作成されて番組制作支援装置内に読み込んだ）取材項目を番組の項目の名称として用いて、その取材項目での取材によって得られた映像素材をビデオサーバーに入力させるためのダミーの番組構成表が自動的に作成される。そして、ビデオサーバーを制御する制御手段に対して、このダミーの番組構成表中の取材項目を用いたプレイリストの作成が要求される。
【００１６】
このように、番組制作支援装置内で取材項目が作成された（あるいは外部から取材項目を読み込んだ）時点で、ダミーの番組構成表が自動的に作成され、そのダミーの番組構成表に基づくプレイリストの作成がビデオサーバー側に要求されることにより、ビデオサーバーへの映像素材の入力準備が完了する。ビデオサーバー側では、この要求に基づいてプレイリストが作成されることにより、当該取材項目の取材によって得られる映像素材の入力場所がビデオサーバー内に確保される。
【００１７】
また、ダミーの番組構成表では番組の項目の名称として取材項目が用いられ、この取材項目を用いたプレイリストの作成がビデオサーバー側に要求されるので、番組構成表の作成作業の前にビデオサーバーに入力させた様々な映像素材がそれぞれどの取材による映像素材であるのかを、この取材項目によって識別することができる。
【発明の効果】
【００１８】
本発明によれば、番組構成表の作成作業を行う前にビデオサーバーへの映像素材の入力作業を行うワークフローにおいて、番組制作支援装置内で取材項目が作成された（あるいは外部から取材項目を読み込んだ）時点でビデオサーバーへの入力準備を完了でき、且つ、ビデオサーバーに入力させた様々な映像素材がそれぞれどの取材による映像素材であるのかを識別することができるという効果が得られる。
【発明を実施するための最良の形態】
【００１９】
以下、本発明の実施の形態を図面を用いて具体的に説明する。図３は、本発明を適用したテレビジョン放送局内のニュース番組制作システムの構成例を示す図である。このニュース番組制作システムは、番組制作支援システム１とビデオサーバーシステム２とを含んでいる。
【００２０】
番組制作支援システム１では、それぞれコンピュータ（パーソナルコンピュータあるいはワークステーション）から成る取材管理端末３，取材情報取り込み端末４，ダミー番組制作端末５及び番組制作端末６が設けられており、それらの端末が互いにイーサネット（登録商標）のようなネットワーク７で接続されている。
【００２１】
ビデオサーバーシステム２では、素材サーバー（素材の保存用のビデオサーバー）８と、コンピュータから成り素材サーバー８を制御する制御端末９と、ノンリニア編集機１０と、送出サーバー（オンエア素材の送出用のビデオサーバー）１１と、コンピュータから成る送出管理用の管理端末１２とが、ギガ・イーサネット（登録商標）のような高速なネットワーク１３で接続されている。素材サーバー８には、取材を実行することによって得られた映像素材が、その映像素材を録画したＶＴＲ１４から直接入力されたり、ノンリニア編集機１０やリニア編集機１５で編集された後入力される。
【００２２】
番組制作支援システム１のネットワーク７とビデオサーバーシステム２のネットワーク１３とは、ゲートウェイ端末１６を介して接続されている。また、番組制作支援システム１内の各端末はネットワーク７でテレビジョン放送局内の番組送出システム（図示略）にも接続されており、ビデオサーバーシステム２の送出サーバー１１からはこの番組送出システムに映像素材が出力される。
【００２３】
番組制作支援システム１の取材管理端末３は、オペレータが、図１に例示したような取材予定表を作成する作業を行うための端末である。番組制作支援システム１の番組制作端末６は、オペレータが、図２に例示したようなニュース番組の番組構成表を作成する作業を行うための端末である。
【００２４】
番組制作支援システム１の取材情報取り込み端末４内のＣＰＵは、取材管理端末３で作成された取材予定表中の取材項目（図１）のテキストデータをネットワーク７経由で逐次取得して、取材項目を取材予定日毎に分類したテキストファイルである取材情報ファイルを作成する。
【００２５】
図４は、取材予定日が２００５年５月５日の取材項目から成る取材情報ファイル（ファイル名：20050505.ibo2の取材情報ファイル）の内容を例示する図である。“20050505”は取材予定日であり、“400”，“401”，“211”，“111”等の３桁の数字は個々の取材項目を識別する項目ＩＤであり、“（夕）\ｎ主項”，“（夕）\ｎCMQ1” ，“（夕）こどもの日恒例\ｎ消防と子どもの集い” ，“（昼）こどもの日恒例\ｎ消防と子どもの集い”等が実際の取材項目である（但し、“\ｎ”は、取材項目を画面表示する際の改行マークである）。
【００２６】
また、取材情報取り込み端末４内のＣＰＵは、図５に示すような取材情報取り込み用のユーザーインタフェース画面を、取材情報取り込み端末４のディスプレイに表示させる。このユーザーインタフェース画面には、取材情報ファイルを表示する期間（日付）を指定するための欄２１と、欄２１で指定された期間の取材情報ファイルが表示され、その中から任意の日付の取材情報ファイルを取り込み対象として選択するための欄２２と、欄２２で選択した取材情報ファイルのダミー番組制作端末５への読み込みの進行状況が表示される欄２３と、取り込みの開始，終了を指示するための釦２４，２５とが設けられている。
【００２７】
欄２１では、プルダウンメニューで期間を指定する以外に、「当日」と表示された釦２６をクリックすることによっても期間を指定できるようになっている。この釦２６をクリックすると、取材情報取り込み端末４内のＣＰＵは、欄２２に、今日付けの取材情報ファイル（今日が取材予定日になっている取材項目のファイル）と、明日付けの取材情報ファイル（明日が取材予定日になっている取材項目のファイル）とを表示させる。
【００２８】
これは、取材予定表は取材の前日に作成されることが多いので、単に「当日」と指定する操作を行うことにより、今日が取材予定日になっている取材項目のファイルだけでなく、今日作成されて明日が取材予定日になっている取材項目のファイルも選択できるようにしたものである。
【００２９】
取材情報取り込み端末４内のＣＰＵは、欄２１，２２での指定，選択と釦２４での取り込み指示とが行われると、欄２２で選択された取材情報ファイルをダミー番組構成表の作成対象としてネットワーク７経由でダミー番組制作端末５に送るとともに、欄２３に、ダミー番組制作端末５への読み込みの進行状況（後述するようなダミーの番組構成表の作成状況であり、図ではこのダミーの番組構成表が「ＳＶ収録番組」と表記されている）に表示する。
【００３０】
ダミー番組制作端末５は、ビデオサーバーシステム２内の素材サーバー８に映像素材を入力させるためのダミーのニュース番組の番組構成表を自動的に作成するための端末である。ダミー番組制作端末５内のＣＰＵは、取材情報取り込み端末４から取材情報ファイルが送られると、こうしたダミーの番組構成表を作成し、作成したダミーの番組構成表をダミー番組制作端末５のディスプレイに表示させる。
【００３１】
図６は、ダミー番組制作端末５に表示されるダミーの番組構成表の一例として、図４に示した取材情報ファイルが取材情報取り込み端末４から送られた場合の番組構成表を示す図である。ダミーのニュース番組が、ニュースの内容毎の複数の項目３１ａ，３１ｂ，３１ｃ，３１ｄ，…で構成されている（画面に表示されていない項目はスクロール表示される）。ダミーのニュース番組なので、各項目３１ａ，３１ｂ，３１ｃ，３１ｄ，…の放送時刻は、全て同じ時刻“01:00:00”にされている。
【００３２】
１番目の項目３１ａの名称としては、図４の取材情報ファイル中の１番目の取材項目である“（夕）\ｎ主項”が用いられている。２番目の項目３１ｂの名称としては、図４の取材情報ファイル中の２番目の取材項目である“（夕）\ｎCMQ1”が用いられている。３番目の項目３１ｃの名称としては、図４の取材情報ファイル中の３番目の取材項目である“（夕）こどもの日恒例\ｎ消防と子どもの集い”が用いられている。４番目の項目３１ｄの名称としては、図４の取材情報ファイル中の４番目の取材項目である“（昼）こどもの日恒例\ｎ消防と子どもの集い”が用いられている。以下、画面には表れていないが、同様にして、図４の取材情報ファイル中の取材項目が、このダミーのニュース番組の項目の名称として用いられている。
【００３３】
各項目３１ａ，３１ｂ，３１ｃ，３１ｄ，…は、それぞれ、“ＳＶＲ”の語で表示されるサーバー素材３２と、“ＣＡＭ”の語で表示されるカメラ素材３３との２種類の映像素材で構成される。サーバー素材３２は、取材によって得られた映像素材であり、カメラ素材３３は、スタジオカメラや中継カメラからの映像素材である。各項目３１ａ，３１ｂ，３１ｃ，３１ｄ，…の放送時刻が全て同じ時刻なので、各映像素材３２，３３の時間の長さは全て00:00になっている。
【００３４】
画面には表示されないが、ダミー番組制作端末５内のＣＰＵは、各項目３１ａ，３１ｂ，３１ｃ，３１ｄ，…のサーバー素材３２に、当該項目の名称と同じ名称（例えば項目３１ａのサーバー素材３２であれば“（夕）\ｎ主項”）を付与している。
【００３５】
ダミー番組制作端末５内のＣＰＵは、このようなダミーの番組構成表を作成すると、図３のネットワーク７，ゲートウェイ端末１６及びネットワーク１３を介し、ビデオサーバーシステム２の制御端末９に対して、ストーリー名，イベント名としてそれぞれこのダミーの番組構成表中の項目名（＝取材情報取り込み端末４で選択された取材情報ファイル中の取材項目），サーバー素材名（＝取材情報取り込み端末４で選択された取材情報ファイル中の取材項目）を用いたプレイリストの作成を要求する。
【００３６】
制御端末９は、このダミー番組制作端末５からのプレイリストの作成要求に基づき、ストーリー名，イベント名としてそれぞれダミーの番組構成表中の番組の項目名，サーバー素材名を用いたプレイリストを作成する。プレイリストは、日付→番組→ストーリー→イベントという階層構造のデータであり、ストーリーは番組構成表中の項目に該当し、イベントは素材サーバー８内における素材の入力場所である。このプレイリストが作成されることにより、映像素材の入力場所が素材サーバー８内に確保される。
【００３７】
図７は、以上に説明したような、取材項目の作成から素材サーバー８への映像素材の入力準備完了までの各端末による処理の流れを示す図である。番組制作支援システム１の取材管理端末３で取材項目が作成された時点で、取材情報取り込み端末４での選択操作に基づいてダミー番組制作端末５でダミーの番組構成表が自動的に作成され、そのダミーの番組構成表に基づくプレイリストの作成がダミー番組制作端末５からビデオサーバーシステム２の制御端末９に要求されることにより、素材サーバー８への映像素材の入力準備が完了する。したがって、オペレータが番組制作端末６で番組構成表（ダミーではない実際の番組構成表）を作成する作業を行わなくても、素材サーバー８への映像素材の入力準備が完了する。
【００３８】
ビデオサーバーシステム２では、この要求に基づいて制御端末９でプレイリストが作成されることにより、当該取材項目の取材によって得られる映像素材の入力場所が素材サーバー８内に確保される。
【００３９】
また、ダミーの番組構成表では番組の項目名及びサーバー素材名として取材項目が用いられ、この取材項目をストーリー名及びイベント名として用いたプレイリストの作成が要求されるので、番組制作端末６での番組構成表の作成作業の前に素材サーバー８にＶＴＲ１４やノンリニア編集機１０やリニア編集機１５から入力させた様々な映像素材がそれぞれどの取材による映像素材であるのかを、この取材項目によって識別することができる。
【００４０】
これにより、番組制作端末６での番組構成表の作成作業の前に素材サーバー８への映像素材の入力作業を行うワークフローにおいて、取材管理端末３で取材項目が作成された時点で素材サーバー８への入力準備を完了でき、且つ、素材サーバー８に入力させた様々な映像素材がそれぞれどの取材による映像素材であるのかを識別することができる。
【００４１】
なお、素材サーバー８への映像素材の入力作業を行った後、番組制作端末６で実際の番組構成表の作成作業を行う際には、ダミー番組制作端末５によって作成されたダミーの番組構成表中の任意の項目をネットワーク７経由でダミー番組制作端末５から取得して利用することが可能である。そして、ダミーの番組構成表中の各項目にはサーバー素材３２だけでなくカメラ素材３３（図６）も含まれているので、作成しようとする番組構成表の各項目にスタジオカメラや中継カメラからの映像素材を含める作業も迅速に行うことができる。
【００４２】
番組制作端末６で番組構成表の作成作業が完了すると、番組制作端末６内のＣＰＵもネットワーク７，ゲートウェイ端末１６及びネットワーク１３を介しビデオサーバーシステム２の制御端末９に対してプレイリストの作成を要求し、制御端末９はこの要求に基づいてプレイリストを作成する。ニュース番組の送出時には、この番組制作端末６からの要求に基づいて作成されたプレイリストのほうをネットワーク１３を介して制御端末９から管理端末１２に取得させることにより、実際の番組構成表に従って素材サーバー８からネットワーク１３及び送出サーバー１１を介して番組送出システム（図示略）に映像素材を出力させることができる。
【００４３】
以上の例では、取材管理端末３で作成された取材項目のうち、取材情報取り込み端末４での選択操作によって選択された取材情報ファイル中の取材項目のみを用いて、ダミー番組制作端末５でダミーの番組構成表が作成されるようにしている。しかし、別の例として、取材情報取り込み端末４を省略し、取材管理端末３で作成された全ての取材項目を用いてダミー番組制作端末５でダミーの番組構成表が作成されるようにしてもよい。但し、取材管理端末３で取材項目の作成ミスがあった場合のことを考慮すると、取材情報取り込み端末４を介在させることにより、誤った取材項目を用いたダミーの番組構成表の作成を防止することも可能になる。
【００４４】
また、以上の例では、番組制作支援システム１の内部の取材管理端末３で取材項目が作成されるようになっている。しかし、別の例として、取材管理端末３を省略し、番組制作支援システム１の外部のシステムで作成された取材項目を取材情報取り込み端末４が読み込むようにしてもよい。
【００４５】
また、以上の例では、ニュース番組制作システムに本発明を適用しているが、本発明は
ニュース番組以外の番組の制作システムにも適用することができる。
【図面の簡単な説明】
【００４６】
【図１】取材予定表の取材項目等を例示する図である。
【図２】番組構成表の項目等を例示する図である。
【図３】本発明を適用したニュース番組制作システムの構成例を示す図である。
【図４】取材情報ファイルの内容を例示する図である。
【図５】取材情報取り込み端末に表示されるユーザーインタフェース画面を示す図である。
【図６】ダミー番組制作端末に表示されるダミーの番組構成表を例示する図である。
【図７】図１のニュース番組制作システムにおいて取材項目が作成されてから素材サーバーへの映像素材の入力準備が完了するまでの各端末による処理の流れを示す図である。
【符号の説明】
【００４７】
１  番組制作支援システム、  ２  ビデオサーバーシステム、  ３  取材管理端末、  ４  取材情報取り込み端末、  ５  ダミー番組制作端末、  ８  素材サーバー、  ９  制御端末
【図１】
2008059096.tif 000003
【図２】
2008059096.tif 000004
【図３】
2008059096.tif 000005
【図４】
2008059096.tif 000006
【図５】
2008059096.tif 000007
【図６】
2008059096.tif 000008
【図７】
2008059096.tif 000009